(57)【要約】【課題】本発明は、ロバスト性を失わずに、無線通信システムで、エンドツーエンドの待ち時間を減少させることができる方法を提供することを目的とする。【解決手段】受信機は、時間領域、および周波数領域を有するデータ信号を受信するように構成される。データ信号は、制御データと、ペイロードデータと、を備える。データ信号は、さらに、ペイロードデータ部分から成るペイロードデータパッケージと、を備えた少なくとも１つのペイロードデータ送信ブロックと、を備えた、少なくとも１つのデータ部分と、を備える。データ信号は、送信時間間隔の間に受信され、１つの送信時間間隔の長さは、データ部分の継続時間よりも短い。そのため、データ部分は、１つの送信時間間隔を超えてさらに受信される。受信機は、１つの送信時間間隔を超えてさらに受信されたデータ部分を処理するように構成された信号処理装置と、を備える。【選択図】図４
2020503755.tif 000002
【特許請求の範囲】
【請求項１】
無線通信システム（ＷＣＳ）のための受信機（１）であって、
前記受信機（１）は、時間領域、および周波数領域を有するデータ信号（ＤＳ）を受信するように構成されており、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えた少なくとも１つのペイロードデータ送信ブロック（ＰＴＢ）と、を備えた少なくとも１つのデータ部分（ＤＰ）と、を備え、
前記データ信号（ＤＳ）は、送信時間間隔（ＴＴＩ）を超えて受信され、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに受信され、
前記受信機（１）は、１つの前記送信時間間隔（ＴＴＩ）を超えてさらに受信された前記データ部分（ＤＰ）を処理するように構成された信号処理装置（３）と、を備えていることを特徴とする、受信機（１）。
【請求項２】
１つの前記送信時間間隔（ＴＴＩ）の長さは、前記ペイロードデータ送信ブロック（ＰＴＢ）の持続時間よりも短く、そのため、前記ペイロードデータ送信ブロック（ＰＴＢ）は、１つの前記送信時間間隔（ＴＴＩ）を超えてさらに受信され、
前記信号処理装置（３）は、１つの前記送信時間間隔（ＴＴＩ）を超えてさらに受信された前記ペイロードデータ送信ブロック（ＰＴＢ）を処理するように構成されていることを特徴とする、請求項１に記載の受信機（１）。
【請求項３】
前記データ信号（ＤＳ）は、複数のフレームと、を備え、
それぞれのフレームは、複数のサブフレーム（ＳＦ）を含んでおり、それぞれのサブフレーム（ＳＦ）は、前記時間領域内のシンボル（ＳＢ）、および前記周波数領域内の周波数範囲（ＦＲ）を有しており、
１つの前記シンボル（ＳＢ）と１つの前記周波数範囲（ＦＲ）の組み合わせは、リソース要素（ＲＥ）を明らかにし、
前記データ部分（ＤＰ）は、前記ペイロードデータ（ＰＤ）に割り当てられた複数の前記リソース要素（ＲＥ）から成ることを特徴とする、請求項１、または請求項２のうちのいずれか１つに記載の受信機（１）。
【請求項４】
前記制御データ（ＣＤ）は、それぞれの前記送信時間間隔（ＴＴＩ）を超えて前記ペイロードデータ送信ブロック（ＰＴＢ）が受信されるようにするために、前記データ信号（ＤＳ）のどの前記周波数範囲（ＦＲ）が前記ペイロードデータ送信ブロック（ＰＴＢ）に割り当てられたのかを指し示す周波数範囲データと、を備え
前記信号処理装置（３）は、前記ペイロードデータ送信ブロック（ＰＴＢ）を処理するために、前記周波数範囲データを用いるように構成されていることを特徴とする、請求項３に記載の受信機（１）。
【請求項５】
前記制御データ（ＣＤ）は、どの前記送信時間間隔（ＴＴＩ）に前記ペイロードデータ送信ブロック（ＰＴＢ）が割り当てられたのかを指し示す割り当てデータと、を備え、
前記信号処理装置（３）は、前記ペイロードデータ送信ブロック（ＰＴＢ）を処理するために、割り当てデータを用いるように構成されていることを特徴とする、請求項１ないし請求項４のうちのいずれか１つに記載の受信機（１）。
【請求項６】
前記制御データ（ＣＤ）は、それぞれの前記送信時間間隔（ＴＴＩ）の範囲内に、前記ペイロードデータ送信ブロック（ＰＴＢ）が開始する時点を指し示す開始データと、を備え、
前記信号処理装置（３）は、前記ペイロードデータ送信ブロック（ＰＴＢ）を処理するために、前記開始データを用いるように構成されていることを特徴とする、請求項１ないし請求項５のうちのいずれか１つに記載の受信機（１）。
【請求項７】
前記制御データ（ＣＤ）は、それぞれの前記送信時間間隔（ＴＴＩ）の範囲内に、前記ペイロードデータ送信ブロック（ＰＴＢ）が終了する時点を指し示す終了データと、を備え、
前記信号処理装置（３）は、前記ペイロードデータ送信ブロック（ＰＴＢ）を処理するために、前記終了データを用いるように構成されていることを特徴とする、請求項１ないし請求項６のうちのいずれか１つに記載の受信機（１）。
【請求項８】
前記データ部分（ＤＰ）は、前記ペイロードデータ送信ブロック（ＰＴＢ）の前記ペイロードデータパッケージを冗長にしたペイロードデータ（ＰＤ）と、を備えた冗長データパケットと、を備えた冗長データ送信ブロック（ＲＴＢ）と、を備え、
前記信号処理装置（３）は、データ喪失の場合には、前記ペイロードデータ送信ブロック（ＰＴＢ）を復元するために、前記冗長データパケットを用いるように構成されていることを特徴とする、請求項１ないし請求項７のうちのいずれか１つに記載の受信機（１）。
【請求項９】
前記冗長データ送信ブロック（ＲＴＢ）は、前記ペイロードデータ送信ブロック（ＰＴＢ）の前記ペイロードデータパッケージに、絶対冗長性を供給することを特徴とする、請求項８に記載の受信機（１）。
【請求項１０】
前記冗長データ送信ブロック（ＲＴＢ）は、前記ペイロードデータ送信ブロック（ＰＴＢ）の前記ペイロードデータパッケージに、相対冗長性を供給することを特徴とする、請求項８、あるいは請求項９のうちのいずれか１つに記載の受信機（１）。
【請求項１１】
前記制御データ（ＣＤ）は、前記冗長データパケットによって供給された冗長の合計を指し示す冗長データと、を備えていることを特徴とする、請求項８ないし請求項１０のうちのいずれか１つに記載の受信機（１）。
【請求項１２】
前記制御データ（ＣＤ）は、それぞれの前記送信時間間隔（ＴＴＩ）を超えて、前記冗長データ伝送ブロック（ＲＴＢ）を受信するために、前記データ信号（ＤＳ）のどの前記周波数範囲（ＦＲ）が前記冗長データ送信ブロック（ＲＴＢ）に割り当てられたのかを指し示す周波数範囲データと、を備え、
前記信号処理装置（３）は、前記冗長データ送信ブロック（ＲＴＢ）を処理するために、前記周波数範囲データを用いるように構成されていることを特徴とする、請求項８ないし請求項１１のうちのいずれか１つに記載の受信機（１）。
【請求項１３】
前記制御データ（ＣＤ）は、どの前記送信時間間隔（ＴＴＩ）に前記冗長データ送信ブロック（ＲＴＢ）が割り当てられたのかを指し示す割り当てデータと、を備え、
前記信号処理装置（３）は、前記冗長データ送信ブロック（ＲＴＢ）を処理するために、前記割り当てデータを用いるように構成されていることを特徴とする、請求項８ないし請求項１２のうちのいずれか１つに記載の受信機（１）。
【請求項１４】
前記制御データ（ＣＤ）は、それぞれの前記送信時間間隔（ＴＴＩ）の範囲内に、前記冗長データ送信ブロック（ＲＴＢ）を開始する時点を指し示す開始データと、を備え、
前記信号処理装置（３）は、前記冗長データ送信ブロック（ＲＴＢ）を処理するために、前記開始データを用いるように構成されていることを特徴とする、請求項８ないし請求項１３のうちのいずれか１つに記載の受信機（１）。
【請求項１５】
前記制御データ（ＣＤ）は、それぞれの前記送信時間間隔（ＴＴＩ）の範囲内に、前記冗長データ送信ブロック（ＲＴＢ）を終了する時点を指し示す終了データと、を備え、
前記信号処理装置（３）は、前記冗長データ送信ブロック（ＲＴＢ）を処理するために、前記終了データを用いるように構成されていることを特徴とする、請求項８ないし請求項１４のうちのいずれか１つに記載の受信機（１）。
【請求項１６】
前記データ部分（ＤＰ）は、半持続的なスケジューリング計画から成り、
前記信号処理装置（３）は、前記半持続的なスケジューリング計画に従った前記データ部分を処理するように構成されていることを特徴とする、請求項１ないし請求項１５のうちのいずれか１つに記載の受信機（１）。
【請求項１７】
前記制御データ（ＣＤ）は、前記データ部分（ＤＰ）が、半持続的なスケジューリング計画に従っているかどうかを指し示すスケジューリング計画と、を備え、
前記信号処理装置（３）は、前記データ部分（ＤＰ）を処理するために、前記スケジューリング計画データを用いるように構成されていることを特徴とする、請求項１６に記載の受信機（１）。
【請求項１８】
前記データ信号（ＤＳ）は、複数の前記データ部分（ＤＰ）と、を備え、
前記複数のデータ部分（ＤＰ）は、異なる半持続的なスケジューリング計画に従うデータ部分（ＤＰ）と、を備えていることを特徴とする、請求項１６、または請求項１７のうちのいずれか１つに記載の受信機（１）。
【請求項１９】
前記データ信号（ＤＳ）は、複数の前記ペイロードデータ送信ブロック（ＰＴＢ）と、を備え、
前記複数のペイロードデータ送信ブロック（ＰＴＢ）は、異なる大きさの周波数領域を有するペイロードデータ送信ブロック（ＰＴＢ）と、を備え、
前記信号処理装置（３）は、異なる大きさの周波数領域を有するペイロードデータ送信ブロック（ＰＴＢ）を処理するように構成されていることを特徴とする、請求項１ないし請求項１８のうちのいずれか１つに記載の受信機（１）。
【請求項２０】
前記データ信号（ＤＳ）は、複数の前記ペイロードデータ送信ブロック（ＰＴＢ）と、を備え、
前記複数のペイロードデータ送信ブロック（ＰＴＢ）は、異なる大きさの時間領域を有するペイロードデータ送信ブロック（ＰＴＢ）と、を備え、
前記信号処理装置（３）は、異なる大きさの時間領域を有する前記ペイロードデータ送信ブロック（ＰＴＢ）を処理するように構成されていることを特徴とする、請求項１ないし請求項１９のうちのいずれか１つに記載の受信機（１）。
【請求項２１】
前記データ信号（ＤＳ）は、複数の前記冗長データ送信ブロック（ＲＴＢ）と、を備え、
前記複数の冗長データ送信ブロック（ＲＴＢ）は、異なる大きさの周波数領域を有する冗長データ送信ブロック（ＲＴＢ）と、を備え、
前記信号処理装置（３）は、異なる大きさの周波数領域を有する前記冗長データ送信ブロック（ＲＴＢ）を処理するように構成されていることを特徴とする、請求項８ないし請求項２０のうちのいずれか１つに記載の受信機（１）。
【請求項２２】
前記データ信号（ＤＳ）は、複数の前記冗長データ送信ブロック（ＲＴＢ）と、を備え
、
前記複数の冗長データ送信ブロック（ＲＴＢ）は、異なる大きさの時間領域を有する冗長データ送信ブロック（ＲＴＢ）と、を備え、
前記信号処理装置（３）は、異なる大きさの時間領域を有する前記冗長データ送信ブロック（ＲＴＢ）を処理するように構成されていることを特徴とする、請求項１ないし請求項２１のうちのいずれか１つに記載の受信機（１）。
【請求項２３】
無線通信システムのための送信機（２）であって、
前記送信機（２）は、時間領域、および周波数領域を有する前記データ信号（ＤＳ）を送信するように構成されており、
前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えた少なくとも１つのペイロードデータ送信ブロック（ＰＴＢ）と、を備えた少なくとも１つのデータ部分（ＤＰ）と、を備え、
前記送信機（２）は、前記データ信号（ＤＳ）を送信時間間隔（ＴＴＩ）を超えて送信するように構成されており、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに送信されることを特徴とする、送信機（２）。
【請求項２４】
請求項１ないし請求項２２のうちのいずれか１つに記載の受信機（１）と、
そして／あるいは、
請求項２３に記載の送信機（２）と、
を備えていることを特徴とする、無線通信システム。
【請求項２５】
無線通信システム（ＷＣＳ）で前記データ信号（ＤＳ）を受信する方法であって、
時間領域、および周波数領域を有する前記データ信号（ＤＳ）が受信機（１）によって受信されるステップと、
１つの前記送信時間間隔（ＴＴＩ）を超えてさらに受信された前記データ部分（ＤＰ）が、前記受信機（１）の信号処理装置（３）によって処理されるステップと、
を備え、
前記データ信号（ＤＳ）は、時間領域、および周波数領域を有し、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えたペイロードデータ送信ブロック（ＰＤＴＢ）と、を備えた少なくとも１つのデータ部分（ＤＰ）と、を備え、
前記データ信号（ＤＳ）は、送信時間間隔（ＴＴＩ）を超えて受信され、
１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに受信されることを特徴とする、データ信号（ＤＳ）の受信方法。
【請求項２６】
無線通信システム（ＷＣＳ）で前記データ信号（ＤＳ）を送信する方法であって、
時間領域、および周波数領域を有する前記データ信号（ＤＳ）が送信機（２）によって送信されるステップと、
を備え、
前記データ信号（ＤＳ）は、時間領域、および周波数領域を有し、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えたペイロードデータ送信ブロック（ＰＴＢ）と、を備えた少なくとも１つのデータ部分（ＤＰ）と、を備え、
前記データ信号（ＤＳ）は、送信時間間隔（ＴＴＩ）を超えて送信され、
１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに送信されることを特徴とする、データ信号（ＤＳ）の送信方法。
【請求項２７】
プロセッサが動いているときには、請求項２５、または請求項２６のうちのいずれか１つに記載の方法を実行するためのコンピュータプログラム。
【発明の詳細な説明】
【技術分野】
【０００１】
本発明は、モバイル端末のように、データが送信機から１つ、あるいは、１つ以上の受信機に送信される、例えば、モバイル通信のような無線通信システム分野に関する。送信機、および／あるいは、受信機は、無線通信システム、あるいは、無線通信システムのモバイル端末の基地局の一部を形成していてもよい。発明の実施の形態は、エンドツーエンド（ｅｎｄ−ｔｏ−ｅｎｄ）の待ち時間を減少させるようなデータの伝送に関する。
【背景技術】
【０００２】
モバイル通信で用いられる送信時間間隔の長さは、ユーザー（ｕｓｅｒｓ）に割り当てられたリソース（ｒｅｓｏｕｒｃｅ）の精度、エンドツーエンドの待ち時間，およびロバスト性（時間多様性）のような、いくつかの側面のそれぞれで解決される。
【発明の概要】
【発明が解決しようとする課題】
【０００３】
エンドツーエンドの低い遅延を達成するためには、送信時間間隔を短くすることは良いことである。しかしながら、送信時間間隔を短くすると、時間多様性が小さくなり、そして、低いロバスト性に終わるかもしれず、このため、エラーを導き、そして、結局は、エンドツーエンドの遅れを増加させる多くの数の再送を招来する。これとは反対に、送信時間間隔が拡大されると、より良いロバスト性を達成することはできるが、エンドツーエンドの遅延は高くなる。
【課題を解決するための手段】
【０００４】
本発明の目的は、ロバスト性を失わずに、無線通信システムで、エンドツーエンドの待ち時間を減少させることができる方法を提供することである。
【０００５】
この目的は、独立請求項で明らかにされた内容によって達成される。
【０００６】
実施の形態は、独立請求項の中で明らかにされる。
発明は、１つの実施の態様として、無線通信システムの受信機を提供する。
【０００７】
受信機は、時間領域、および周波数領域を有するデータ信号を受信するように構成される。データ信号は、制御データと、ペイロード（ｐａｙｌｏａｄ）データと、を備える。データ信号は、さらに、ペイロードデータ部分から成るペイロードデータパッケージと、を備えた少なくとも１つのペイロードデータ送信ブロックと、を備えた、少なくとも１つのデータ部分と、を備える。
【０００８】
データ信号は、送信時間間隔の間に受信され、１つの送信時間間隔の長さは、データ部分の継続時間よりも短い。そのため、データ部分は、１つの送信時間間隔を超えてさらに受信される。
【０００９】
受信機は、１つの送信時間間隔を超えてさらに受信されていたデータ部分を処理するように構成された信号処理装置と、を備えている。
【００１０】
１つの送信時間間隔は、ペイロードデータ送信ブロックの持続時間よりも短く、そのため、ペイロードデータ送信ブロックは、１つの送信時間間隔を超えてさらに受信される。
【００１１】
信号処理装置は、１つの送信時間間隔を超えてさらに受信されていたペイロードデータ送信ブロックを処理するように構成されている。
【００１２】
無線通信システムは、特に、セルラー無線通信システムであってもよい。受信機は、無線通信システムの基地局の一部を形成していてもよい。他の実施の形態では、受信機は、
無線通信システムで基地局の固定を伴う無線通信のために構成された無線モバイル端末の一部を構成していてもよい。
【００１３】
このようなデータのペイロードデータは、データ信号の内容を含む。それとは対照的に、このようなデータの制御データは、無線通信システムの中で、通信を制御するために用いられる。
【００１４】
送信時間間隔は、データ部の送信を開始してもよい時点で定める。これは、データ部分の送信は送信時間間隔が開始するときにだけ、開始してもよいことを意味する。いつも、すべての送信時間間隔は、同じ持続時間である、しかしながら、送信時間間隔の持続時間は、動的に適用されてもよい。
【００１５】
データ部分は、他のデータ部分から独立して符号化されたデータ信号の一部であり、そして、全体として符号化されている。ペイロードデータ送信ブロックは、ペイロードデータの一部から成るペイロードデータパッケージと、を備えたデータ信号の一部である。同じ実施の形態では、データ部分は、単独の１つのペイロードデータ送信ブロックから成る。他の実施の形態では、データ部分は、１つ、あるいは、１つ以上のペイロードデータ送信ブロックから成る。
【００１６】
発明によれば、１つの送信時間間隔の長さは、データ部分の持続時間よりも短く、そのため、データ部分は、１つの送信時間間隔を超えてさらに受信される。さらに、受信機は、１つの送信時間間隔を超えてさらに受信されていたそのようなデータ部分を処理することができる信号処理装置を備えている。
【００１７】
これは、送信側の最大の送信時間は、先行技術よりも短いことを意味し、例えば、標準的なＬｏｎｇ  Ｔｅｒｍ  Ｅｖｏｌｕｔｉｏｎ  ４Ｇ（ＬＴＥ４Ｇ）と定義される先行技術システムの中では、送信時間間隔の長さは、データ部分の持続時間と同じである。データ部分の持続時間のために、ＬＴＥ４Ｇの中の送信時間間隔の持続時間は、１ｍｓと定められている。発明に係る送信時間間隔はかなり短くすることが可能であり、データ部分の持続時間を変更することを除いて、ロバスト性は維持され、送信側の送信のための最大時間は減少する。したがって、無線通信システムの中のエンドツーエンドの待ち時間も減少する。
【００１８】
発明は、送信時間間隔が時間内に重なることを回避する。このように、同期が複雑になることが増加することは回避される。さらに、発明は、低いロバスト性をもたらすデータ部分の短縮も回避する。
【００１９】
発明の好ましい実施の形態によれば、データ信号は、多数のフレーム（ｆｒａｍｅ）と、を備え、それぞれのフレームは、多数のサブフレーム（ｓｕｂｆｒａｍｅ）を含み、それぞれのサブフレームは、時間領域内の符号、および周波数領域内の周波数範囲を有する。
【００２０】
１つの符号、および１つの周波数領域の組み合わせは、リソース要素を定義する。
【００２１】
データ部分は、ペイロードデータに割り当てられる複数のリソース要素から成る。
【００２２】
フレーム、サブフレーム、符号、および周波数範囲は、既存の標準的なＬＴＥ４Ｇに類似して定められる。しかしながら、発明は、他の構造のデジタル信号と関連させて用いられてもよい。
【００２３】
発明の好ましい実施の形態によれば、制御データは、それぞれの送信時間間隔を超えてさらに受信されたペイロードデータ送信ブロックのために、データ信号のどの範囲の周波数範囲がペイロードデータ送信ブロックに割り当てられているのかを指し示す周波数範囲データと、を備え、信号処理装置は、ペイロードデータ送信ブロックを処理するために周波数範囲データを用いるように構成されている。
【００２４】
発明の好ましい実施の形態によれば、制御データは、どの送信時間間隔にペイロードデータ送信ブロックが割り当てられるのかを指し示す割り当てデータと、を備え、信号処理装置は、ペイロードデータ送信ブロックを処理するために、割り当てデータを使うように構成されている。
【００２５】
発明の好ましい実施の形態によれば、制御データは、それぞれの送信時間間隔の範囲内で、ペイロードデータ送信ブロックが開始する時点を指し示す開始データと、を備え、信号処理装置は、ペイロードデータ送信ブロックを処理するために開始データを用いるように構成されている。
【００２６】
発明の好ましい実施の形態によれば、制御データは、それぞれの送信時間間隔の範囲内で、ペイロードデータ送信ブロックが終了する時点を指し示す終了データと、を備え、信号処理装置は、ペイロードデータ送信ブロックを処理するための終了データを用いるように構成されている。
【００２７】
発明に係る受信機は、特定のペイロードデータ送信ブロックに属するデータ信号の位置を確認するために、ペイロードデータ送信ブロックのための周波数範囲データ、位置データ、開始データ、および／あるいは、終了データ、を用いるように構成されていてもよい。このように、たとえ、ペイロードデータ送信ブロック、および／あるいは、データ部分の全長（Ｓｐａｎ）が１つの送信時間間隔を超えてさらに大きくなっても、簡単な方法で、データ信号からペイロードデータ送信ブロックを抽出することができる。
【００２８】
ペイロードデータ送信ブロックのための周波数範囲データ、位置データ、開始データ、および／あるいは、終了データは、例えば、ダウンリンク（ｄｏｗｎｌｉｎｋ）制御情報の中の物理ダウンリンク制御チャンネル（ＰＤＣＣＨ）のような制御チャンネルに含まれていてもよい。もし、前記データがダウンリンク制御情報の中に含まれていれば、データは、送信時間間隔と送信時間間隔との間に動的に変化し、そのため、データは、最新の送信時間間隔の間だけ有効になる。他の１つの選択は、より持続的な設定にするために、例えば、無線リソースコンフィギュレーション（Ｒａｄｉｏ Ｒｅｓｏｕｒｃｅ Ｃｏｎｆｉｇｕｒａｔｉｏｎ）（ＲＲＣ）のベアラコンフィギュレーションメッセージ（Ｂｅａｒｅｒ Ｃｏｎｆｉｇｕｒａｔｉｏｎ ｍｅｓｓａｇｅ）を設定が適用されるすべての送信時間間隔に適用することである。
【００２９】
発明の好ましい実施の形態によれば、データ部分は、ペイロードデータ送信ブロックのペイロードデータパッケージを冗長にするペイロードデータと、を備えた冗長データパケットと、を備えた冗長データ送信ブロックと、備え、信号処理装置は、データ喪失の場合に、ペイロードデータ送信ブロックを復元するために、冗長データパケットを用いるように構成されている。
【００３０】
実施の形態では、データ部分は、少なくとも１つのペイロードデータ送信ブロック、および少なくとも１つの冗長データ送信ブロックから構成される。冗長データ送信ブロックの冗長データパケットは、データ信号のペイロードデータの一部である。もし、ペイロードデータ送信ブロックを送信している間に、データ喪失が起きれば、冗長データ送信ブロックは、ペイロードデータ送信ブロックを復元するために用いられる。このような誤り訂正は、前方誤り訂正と呼ばれる。前方誤り訂正は、データ喪失、あるいは多くの場合のエラーが起きた後に、ペイロードデータ送信ブロックを再送することを回避する。同じデータ部分に含まれて送信された、ペイロードデータ送信ブロック、および冗長データ送信ブロックは、次々と、時間の経過と並行して、あるいは、時間の経過とともにインターリーブ（ｉｎｔｅｒｌｅａｖｅｄ）されて、次々と送信されてもよい。これは、データ送信の高いロバスト性をもたらす。
【００３１】
冗長データ送信ブロックは、また、前方誤り訂正、および再送による誤り訂正を組み合わせたハイブリッド（ｈｙｂｒｉｄ）誤り訂正のために用いられてもよい。例えば、冗長データ送信ブロックは、高速前方誤り訂正符号化、および自動再送要求（ＡＲＱ）誤り制御を組み合わせたハイブリッド自動送信要求（ｈｙｂｒｉｄ  ＡＲＱ  ｏｒ  ＨＡＲＱ）システムの中で用いられてもよい。標準的なＡＲＱでは、冗長ビットは、巡回冗長検査（ｃｙｃｌｉｃ  ｒｅｄｕｎｄａｎｃｙ  ｃｈｅｃｋ）（ＣＲＣ）のような、誤り検出（ＥＤ）符号を用いて送信されたペイロードデータが加えられた制御データに属する。破損したメッセージを検出した受信機は、送信機からの新しいメッセージを要求するであろう。ハイブリッドＡＲＱでは、最初のデータは、ペイロードデータに属する前方誤り訂正（ＦＥＣ）符号を用いて符号化され、そして、受信機が誤ったメッセージを検出したときには、パリティビットは、メッセージに加えてすぐに送られるか、要求があれば送られるだけである。符号が、リード・ソロモン（Ｒｅｅｄ‐Ｓｏｌｏｍｏｎ）符号のように、前方誤り訂正、およびエラー検出の両方が実行できるように用いられるときには、ＥＤ符号は、省略してもよい。最初の送信で送られた冗長だけを用いて訂正できない誤りを訂正するための代替として、ＡＲＱ方法が用いられるかもしれない間に、誤りが発生することが予想されるすべてのサブセットを訂正するために、ＦＥＣ符号が選ばれる。結果として、ハイブリッドＡＲＱは、悪い環境でも、普通のＡＲＱよりもよりよく動作する。
【００３２】
発明の好ましい実施の形態では、冗長データ送信ブロックは、ペイロードデータ送信ブロックのペイロードデータパッケージのために、絶対冗長性を提供する。もし、冗長データ送信ブロックが、関連する冗長データ送信ブロックに含まれる情報の１００％を提供するのであれば、絶対冗長性が与えられる。もし、ペイロードデータ送信ブロックが完全に喪失したような場合には、冗長データを用いることによって、ペイロードデータ送信ブロックを復元することが可能である。
【００３３】
発明の好ましい実施の形態では、冗長データ送信ブロックは、ペイロードデータ送信ブロックのペイロードデータパッケージのために、相対冗長性を提供する。もし、冗長データ送信ブロックが、関連するペイロードデータ送信ブロックに含まれる情報の１００％の未満を提供するのであれば、相対冗長性が与えられる。もし、例えば、冗長データ送信ブロックが、ペイロードデータ送信ブロックに含まれる情報の２０％を提供していて、もし、ペイロードデータ送信ブロックに含まれる情報の２０％以下が喪失したのであれば、ペイロードデータ送信ブロックは、修復されるかもしれない。冗長データ送信ブロックの相対冗長性の大きさを使うことによって、冗長データ送信ブロックは、情報が減らされるのと同じパーセンテージで減らしてもよい。例えば、上述のように、２０％の冗長のための冗長データ送信ブロックの大きさは、冗長のための冗長データ送信ブロックの大きさのちょうど２０％になる。
【００３４】
発明の好ましい実施の形態によると、制御データは、冗長データパケットによって実行された冗長の合計を指し示す冗長データと、を備えている。これらの特性は、データ信号から、簡単な方法で、冗長データ送信ブロックを抽出することを可能にする。
【００３５】
発明の好ましい実施の形態によると、制御データは、それぞれの送信時間間隔を超えて受信された冗長データ送信ブロックのために、データ信号のどの周波数範囲が冗長データ送信ブロックに割り当てられたのかを指し示す周波数範囲データと、を備えており、信号処理装置は、冗長データ送信ブロックを処理するために、周波数範囲データを用いるように構成されている。
【００３６】
発明の好ましい実施の形態によると、制御データは、冗長データ送信ブロックに割り当てられた送信時間間隔を指し示す割り当てデータと、を備え、信号処理装置は、冗長データ送信ブロックを処理するために、割り当てデータを用いるように構成されている。
【００３７】
発明の好ましい実施の形態によると、制御データは、それぞれの送信時間間隔の間に、冗長データ送信ブロックが開始した時点を指し示す開始データと、を備え、信号処理装置は、冗長データ送信ブロックを処理するために、開始データを用いるように構成されている。
【００３８】
発明の好ましい実施の形態によると、制御データは、それぞれの送信時間間隔の間に、冗長データ送信ブロックが終了した時点を指し示す終了データと、を備え、信号処理装置は、冗長データ送信ブロックを処理するために、終了データを用いるように構成されている。
【００３９】
発明に係る受信機は、特定の冗長データ送信ブロックに属するデータ信号の位置を確認するために、冗長データ送信ブロックのための冗長データ、周波数範囲データ、位置データ、開始データ、そして／あるいは、終了データを用いるように構成されていてもよい。このように、冗長データ送信ブロック、そして／あるいは、データ部分のスパンが、送信時間間隔をさらに超えても、このように、簡単な方法で、データ信号から冗長データ送信ブロックを抽出することは可能である。
【００４０】
冗長データ、周波数範囲データ、位置データ、開始データ、そして／あるいは、終了データは、例えば、下り制御情報（ＤＣＩ）の中の物理下り制御チャンネル（ＰＤＣＣＨ）のような制御チャンネルに含まれていてもよい。もし、前記データは、下り制御情報に含まれていれば、データは、送信時間間隔から送信時間間隔の間に、多様に変化するかもしれず、そのため、データは、現在の送信時間隔の間だけ、有効である。他の選択肢は、例えば、どちらの設定も適用するためにすべての送信時間間隔に適用される無線リソース設定（ＲＲＣ）のベアラ設定メッセージのように、より持続的に構成される。
【００４１】
発明の好ましい実施の形態によると、データ部分は、半持続的なスケジューリングスキームに従い、信号処理装置は、半持続的なスケジューリングスキームに従うデータ部分を処理するように構成されている。
【００４２】
半持続的なスケジューリング（ＳＰＳ）は、通信リンクに周期的に割り当てられるデータ信号内の資源のスキームを参照して周期性が調整されてもよい。このようなスキームは、制御データの削減を可能にする。
【００４３】
ＳＰＳは、周期的なリソース要求を伴うサービスのために用いられ、そして、異なるアプリケーションは、ＳＰＳ間隔パラメータによって構成されていてもよい送信ブロックの異なる到着時間を要求してもよい。例えば、ヴォイス・オーバー・ＩＰ（Ｖｏｉｃｅ  ｏｖｅｒ  ＩＰ）（ＶｏＩＰ）は、データに２０ミリ秒の周期的なバースト（ｂｕｒｓｔ）が届くアプリケーションである。それを超えて、例えば、１０ミリ秒以下から１００ミリ秒以下の期間内の時間のより短い期間の中でリソースがあらかじめ構成されていることを必要とする機械タイプ通信、および、車両通信のような、例えば、高信頼・低遅延通信（ｕｌｔｒａ  ｒｅｌｉａｂｌｅ  ｌｏｗ  ｌａｔｅｎｃｙ  ｃｏｍｍｕｎｉｃａｔｉｏｎ）（ＵＲＬＬＣ）のような、ミッション・クリティカル（ｍｉｓｓｉｏｎ−ｃｒｉｔｉｃａｌ）で、待ち時間が制約された（ｌａｔｅｎｃｙ−ｃｏｎｓｔｒａｉｎｅｄ）通信サービスがある。頻繁な動的に設定された最新版と比較したときには、このようなアプリケーション、あるいは、サービスにＳＰＳを適用することは、シグナリング・オーバーヘッド（ｓｉｇｎａｌｉｎｇ  ｏｖｅｒｈｅａｄ）を最も少なくする可能性をもたらし、そして、本発明の実施の形態は、待ち時間が制約されたアプリケーションのためのＳＰＳを扱う。
【００４４】
発明によれば、ＳＰＳ間隔、あるいは、周期性は、送信時間間隔に拘束され、それによって、送信ブロックの周期的な送信で待ち時間が制約されたアプリケーションのために、実施可能なＳＰＳは、送信時間間隔に基づいて自由に定めてもよい特定の間隔に要求される。実施の形態に従った基地局は、アプリケーションによる要求されたあらかじめ定められた間隔を基礎にするＳＰＳを実行するためのユーザーの機器を構成してもよく、ＳＰＳは、データ送信のためのユーザーの機器によって用いられる送信時間間隔のどのような倍数であってもよい。ユーザーの機器に用いられるようになるまでの送信時間は、ユーザーの機器を構築した基地局によって特定されてもよい。また、アプリケーションは、ＳＰＳを用いるのに有益であり、このようなアプリケーションは、１ミリ秒、あるいは、１ミリ秒以下と同様の遅さに下げられた１つのサブフレームの長さ以下である間隔のリソースに割り当てられたデータの送信のために周期性が要求される。このように、本発明の実施の形態に従った、受信機は、あらかじめ定められた周期性を有する無線通信システム上の特定の割り当てられたリソース上のデータを受信するように構成されていてもよく、半持続的なスケジューリングを実行するために、受信されたデータブロックのための送信時間間隔を基礎にする周期性、移動端末のような受信機は、基地局のような送信機から対応する構成メッセージを受信して、処理するように構成されている。半持続的なスケジューリングは、アップリンク（ｕｐｌｉｎｋ）、あるいは、ダウンリンクのために用いられてもよい。基地局、あるいは、移動端末である機器に従って、機器は、割り当てられたリソースによってペイロードデータを送信してもよい、しかし、独占的ではなく、ペイロードデータを割当られたリソースにマッピングする前に、ペイロードデータを保護するＦＥＣデータとともにペイロードデータを暗号化、そして／あるいは、インターリーブすることによって、送信信時間間隔の単位の中で、それらは半持続的にスケジューリングされている。言い換えれば、実施の形態に従えば、機器は、無線通信システムの特定の割り当てられたリソースのその後に続く複数の間隔の間に送信データを受信、あるいは、送信するために、半持続的なスケジューリングを実行するように構成されており、間隔の大きさは、データブロックを受信するための送信時間間隔に基づいている。
【００４５】
発明の好ましい実施の形態によれば、制御データは、データ部分が半持続的なスケジューリング計画の要件を満たしているかどうかを指し示すスケジューリング計画データと、を備え、信号処理装置は、データ部分を処理するためのスケジューリング計画データを用いるように構成されている。
【００４６】
発明のいくつかの実施の形態によれば、信号処理装置は、半持続的なスケジューリング計画に適合するデータ部分を処理する第１のオペレーションモード、および他のスケジューリング計画に適合しているセットアップオプションを処理する第２のオペレーションモードで構成されている。スケジューリング計画データは、簡単な方法で、正しいモードを選ぶために用いられてもよい。発明の好ましい実施の形態によれば、データ信号は、多数の前記データ部分と、を備えており、多数のデータ部分は、異なる半持続的なスケジューリング計画に適合するデータ部分と、を備えている。このような特性は、半持続的なスケジューリング計画をデータ信号のリソースの最終的な要求に変化させることを可能にする。
【００４７】
発明の好ましい実施の形態によれば、データ信号は、複数の前記ペイロードデータ送信ブロックと、を備えており、複数のペイロードデータ送信ブロックは、周波数領域の異なる大きさを有するペイロードデータ送信ブロックと、を備え、信号処理装置は、周波数領域の異なる大きさを有するペイロードデータ送信ブロックを処理するように構成されている。
【００４８】
発明の好ましい実施の形態によれば、データ信号は、複数の前記ペイロードデータ送信ブロックと、を備えており、複数のペイロードデータ送信ブロックは、時間領域の異なる大きさを有するペイロードデータ送信ブロックと、を備え、信号処理装置は、時間領域の異なる大きさを有するペイロードデータ送信ブロックを処理するように構成されている。
【００４９】
ペイロードデータ送信ブロックの可変的なサイズに関する特性は、無線通信システムのリソースの使用の柔軟性を増やし、そのため、稼働率は増加するかもしれない。柔軟性の増加は、特に、データ信号のリソースが割かれるユーザーの数が増加することを可能にする。
発明の好ましい実施の形態によれば、データ信号は、複数の前記冗長データ送信ブロックと、を備え、複数の冗長データ送信ブロックは、周波数領域の異なる大きさを有する冗長データ送信ブロックと、を備え、信号処理装置は、周波数領域の異なる大きさを有する冗長データ送信ブロックを処理するように構成されている。
【００５０】
発明の好ましい実施の形態によれば、データ信号は、複数の前記冗長データ送信ブロックと、を備え、複数の冗長データ送信ブロックは、時間領域の異なる大きさを有する冗長データ送信ブロックと、を備え、信号処理装置は、時間領域の異なる大きさを有する冗長データ送信ブロックを処理するように構成されている。
【００５１】
冗長データ送信ブロックの可変的な寸法に関するそのような特性は、無線通信システムのリソースの使用の柔軟性を増やし、そのため、稼働率は増加するかもしれない。柔軟性の増加は、特に、データ信号のリソースが割かれるユーザーの数が増加することを可能にする。
【００５２】
発明のさらなる実施の態様は、無線通信システムの送信機を提供する。
【００５３】
送信機は、時間領域、および周波数領域を有するデータ信号を送信するように構成され、データ信号は、制御データと、およびペイロードデータと、を備え、データ信号は、さらに、ペイロードデータの部分から構成されるペイロードデータパッケージと、を備えるペイロードデータ送信ブロックと、を備える、少なくとも、１つのデータ部分と、を備える。
【００５４】
送信機は、送信時間間隔を超えて、データ信号を送信するように構成され、１つの送信時間間隔の長さは、データ部分の持続時間よりも短く、そのため、データ部分は、１つの送信時間間隔を超えてさらに送信される。
【００５５】
無線通信システムは、特に、セルラー無線通信システムであってもよい。送信機は、無線通信システムの基地局を形成していてもよい。他の実施の形態では、送信機は、無線通信の固定基地局を伴う無線通信システムのために構成された無線携帯端末の一部を構成していてもよい。
【００５６】
発明によれば、送信機は、特に受信機に関する請求項で概説されるように、受信機の文脈で概説するような方法でデータ信号を生じさせるように、構成されてもよいと理解しなければならない。
【００５７】
発明の他の実施の態様が提供する無線通信システムは、
発明に係る受信機と、そして／あるいは、
発明に係る送信機と、
を備える。
【００５８】
発明の他の実施の態様は、無線通信システムの中のデータ信号を受信するための方法を提供し、
その無線通信システムの中のデータ信号を受信するための方法は、
受信機によって、時間領域、および周波数領域を有するデータを受信するステップと、
受信機の信号処理装置によって、１つの送信時間間隔を超えてさらに受信されていたデータ部分を処理するステップと、
を備え、
データ信号は、制御データと、ペイロードデータと、を備え、データ信号は、さらに、ペイロードデータの部分から構成されるペイロードデータパッケージと、を備えたペイロードデータ送信ブロックと、を備えた、少なくとも１つのデータ部分と、を備え、データ信号は、送信時間間隔を超えて受信され、１つの送信時間間隔の長さは、データ部分の持続時間よりも短く、そのため、データ部分は、１つの送信時間間隔を超えてさらに受信される。
【００５９】
発明のさらなる実施の態様は、無線通信システムでデータ信号を送信するための方法を提供し、
その無線通信システムでデータ信号を送信するための方法は、
送信機によって、そのような方法でデータ信号を送信するステップと、
を備え、
データ信号は、制御データと、ペイロードデータと、を備え、データ信号は、さらに、ペイロードデータの部分から構成されるペイロードデータパッケージと、を備えたペイロードデータ送信ブロックと、を備えた、少なくとも１つのデータ部分と、を備え、データ信号は、送信時間間隔を超えて送信され、１つの送信時間間隔の長さは、データ部分の持続時間よりも短く、そのため、データ部分は、１つの送信時間間隔以上の間に送信される。
【００６０】
発明のさらなる実施の態様は、プロセッサが動いているときに、発明に従った方法を実施するためのプログラムを提供する。
【発明の効果】
【００６１】
本発明の装置、および方法は、ロバスト性を失わずに、無線通信システムで、エンドツーエンドの待ち時間を減少させることができる。
【００６２】
発明の好ましい実施の形態は、添付の図面とともに、次に議論される。
【図面の簡単な説明】
【００６３】
【図１】図１は、無線通信システムの例を示す概略図である。
【図２】図２は、無線通信システムの伝送時間の送信時間間隔の長さの影響を示す図である。
【図３】図３は、先行技術に係る送信機、および受信機を有する無線通信システムのデータ信号の典型的な構造を示す図である。
【図４】図４は、発明に係る送信機、および受信機を有する無線通信システムのデータ信号の典型的な構造を示す図である。
【図５】図５は、無線通信システムの典型的なＯＦＤＭＡのサブフレームを示す図である。
【図６】図６は、発明に係る送信機、および受信機を有する無線通信システムのデータ信号のさらなる典型的な構造を示す図である。
【図７】図７は、発明に係る送信機、および受信機を有する無線通信システムのデータ信号のさらなる典型的な構造を示す図である。
【図８】図８は、先行技術に係る送信機、および受信機を有する無線通信システムのデータ信号のさらなる典型的な構造を示す図である。
【図９】図９は、発明に係る送信機、および受信機を有する無線通信システムのデータ信号のさらなる典型的な構造を示す図である。
【００６４】
図１には、複数の基地局ＢＳを含む無線通信システムＷＣＳの例、それぞれのセル（ｃｅｌｌ）ＣＥによって図式的に表された基地局を囲むように供給された特定の領域の概略図が示されている。基地局は、セルの範囲内に表された携帯端末ＵＥを供給するために提供される。図１には、５つだけのセルの典型的な図が示されており、しかしながら、無線通信システムＷＣＳは、より多くのそのようなセルＣＥを含んでいてもよい。図１には、セルＣＥの中にあり、また、１つの基地局ＢＥによって供給された２つの携帯端末ＵＥが示されている。矢は、携帯端末ＵＥの送信機２から基地局ＢＳの受信機１まで、あるいは、基地局ＢＳの送信機２から携帯端末ＵＥの受信機１までの模式的に表された、送信データのためのアップリンクチャンネルＵＬ、およびダウンリンクチャンネルＤＬである。無線通信システムＷＣＳは、実際には、例えば、ＬＴＥ、周波数分割多重方式に基づく、標準的、あるいは他のシステムによって用いられる直交周波数分割多重方式（ＯＦＤＭ）システム、あるいは直交周波数分割多元接続方式（ＯＦＤＭＡ）であってもよい。送信時間間隔は、送信を実行するために高い層から物理層（ＰＨＹ）までに図示されたデータにおける詳細な情報であってもよい。携帯端末（また、ユーザー機器と呼ばれる）は、送信時間間隔の詳細な情報とともに受信されたデータ部分を処理する。携帯端末は、無線ネットワークと同期し、および、いくつかのデータ部分はそれに送られたかどうかが分かるようにするために、制御情報にそれぞれの送信時間間隔が渡される必要があり、そして、肯定的な応答の場合には、携帯端末は、データ部分を解読しなければならない。
【００６５】
データ送信のためのＯＦＤＭＡシステムは、ＯＦＤＭＡを基礎にした、さまざまな物理チャンネル、および図示された一組の物理リソースと、を備えた、物理リソースグリッドを利用している。
例えば、ＬＴＥ標準に従って、物理チャンネルは、また、ダウンリンクペイロード送信ブロック、例えば、マスター情報ブロックを運んでいる物理ブロードキャストチャンネル（ＰＢＣＨ）、例えばダウンリンク制御情報（ＤＣＩ）などと呼ばれるユーザーに特定のデータを運んでいる物理ダウンリンク割り当てチャンネル（ＰＤＳＣＨ）を含んでいてもよい。物理信号は、基準信号と、同期信号と、などを備えていてもよい。
【００６６】
図２は、データ部分ＤＰ（図３を見てください）の送信時間の進行中の送信時間間隔ＴＴＩの長さの影響を示している。送信時間間隔ＴＴＩを用いている無線通信システムＷＣＳのエンドツゥーエンドの遅延は、送信処理時間、送信時間、伝搬時間、および受信機の処理時間の合計である。
【００６７】
送信処理時間は、送信機２での処理、およびデータ部分ＤＰを生成するのに必要な時間である。送信時間は、処理されてデータ部分ＤＴが生成されてから送信機２の側で次の伝送時間間隔ＴＴＩが開始するまでの時間である。さらに、伝搬時間は、データ部分ＤＰの全体を受信機１に移すために必要な時間である。最後に、受信機処理時間は、受信機で、データ部分ＤＰを処理するために必要な時間である。
【００６８】
図２に表されているように、送信時間は、送信時間間隔（いつもすべて同じ長さ）に依存し、次の送信時間間隔が開始されるまでに、データ部分ＤＰが処理されて、そして、生成されている間は、送信することはできない。
【００６９】
図３には、例えば、標準的なＬＴＥ  Ｇ４のような、先行技術に係る送信機２、および、受信機１を有する無線通信システムＷＣＳの典型的な構造が示されている。データ信号ＤＳは、ペイロードデータ送信ブロックＰＴＢ１で形成されたデータ部分ＤＰ１と、およびペイロードデータ送信ブロックＰＴＢ２で形成されたデータ部分ＤＰ２と、を備えている。データ部分ＤＰ１、およびＤＰ２は、それらの持続時間、およびそれらの周波数範囲によって定義される。ペイロードデータ送信ブロックＰＴＢ１、およびペイロードデータ送信ブロックＰＴＢ２にも、同じでことがあてはまる。さらに、データ信号ＤＳは、送信時間間隔ＴＴＩを超えて、送信、および受信される。データ部分ＤＰ１、およびデータ部分ＤＰ２（あるいは、ペイロードデータ送信ブロックＰＴＢ１、およびペイロードデータ送信ブロックＰＴＢ２）の持続時間は、送信時間間隔ＴＴＩと同じである。結果として、最大の送信時間は、データ部分ＤＰ１、およびデータ部分ＤＰ２（あるいは、ペイロードデータ送信ブロックＰＴＢ１、およびペイロードデータ送信ブロックＰＴＢ２）の持続時間と同じである。
【００７０】
図４には、発明に係る送信機２、および受信機１を有する無線通信システムＷＣＳのデータ信号ＤＳの典型的な構造が示されている。
【００７１】
図４の中のデータ信号ＤＳは、ペイロードデータ送信ブロックＰＴＢ１で構成されたデータ部分ＤＰ１と、ペイロードデータ送信ブロックＰＴＢ２で構成されたデータ部分ＤＰ２と、を備えている。データ部分ＤＰ１、およびデータ部分ＤＰ２は、それらの持続時間、およびそれらの周波数範囲によって定義される。ペイロードデータ送信ブロックＰＴＢ１、およびペイロードデータ送信ブロックＰＴＢ２にも、同じでことがあてはまる。さらに、データ信号ＤＳは、送信時間間隔ＴＴＩを超えて、送信、および受信される。データ部分ＤＰ１、およびデータ部分ＤＰ２（あるいは、ペイロードデータ送信ブロックＰＴＢ１、およびペイロードデータ送信ブロックＰＴＢ２）の持続時間は、送信時間間隔ＴＴＩと同じである。発明に係る送信時間は、データ部分ＤＰ１、およびデータ部分ＤＰ２（あるいは、ペイロードデータ送信ブロックＰＴＢ１、およびペイロードデータ送信ブロックＰＴＢ２）の持続時間よりも短い。
【００７２】
図４の例の中では、送信時間間隔ＴＴＩの長さは、データ部分ＤＰ１、およびデータ部分ＤＰ２（あるいは、ペイロードデータ送信ブロックＰＴＢ１、およびペイロードデータ送信ブロックＰＴＢ２）の持続時間の半分である。結果として、最大の送信時間は、データ部分ＤＰ１、およびデータ部分ＤＰ２（あるいは、ペイロードデータ送信ブロックＰＴＢ１、およびペイロードデータ送信ブロックＰＴＢ２）の持続時間の半分である。
【００７３】
１つの発明の実施の態様は、無線通信システムＷＣＳのための受信機１を提供する。
【００７４】
受信機１は、時間領域、および周波数領域を有するデータ信号ＤＳを受信するように構成されおり、データ信号ＤＳは、制御信号ＣＤと、ペイロードデータＰＤと、を備えており、データ信号ＤＳは、さらに、ペイロードデータＰＤの部分から構成されるペイロードデータパッケージと、を備えた、少なくとも１つのペイロードデータ送信ブロックＰＴＢと、を備えた、少なくとも１つのデータ部分ＤＰと、を備えている。
【００７５】
データ信号ＤＳは、送信時間間隔ＴＴＩを超えて受信され、送信時間間隔ＴＴＩは、データ部分ＤＰの持続時間よりも短く、そのため、データ部分ＤＰは、１つの送信時間間隔ＴＴＩを超えてさらに受信される。
【００７６】
受信機１は、１つの送信時間間隔ＴＴＩよりも長い間に受信されたデータ部分ＤＰを処理するように構成された信号処理装置３と、を備えている。
【００７７】
発明の好ましい実施の形態では、１つの送信時間間隔ＴＴＩの長さは、ペイロードデータ送信ブロックＰＴＢの持続時間よりも短く、そのため、ペイロードデータ送信ブロックＰＴＢは、１つの送信時間間隔ＴＴＩを超えてさらに受信される。
【００７８】
信号処理装置３は、１つの送信時間間隔ＴＴＩよりも長い間に受信されたペイロードデータ送信ブロックＰＴＢを処理するように構成されている。
【００７９】
図４の中のデータ信号ＤＳは、ペイロードデータ送信ブロックＰＴＢ１で構成されたデータ部分ＤＰ１と、ペイロードデータ送信ブロックＰＴＢ２で構成されたデータ部分ＤＰ２と、を備えている。両方のデータ部分ＤＰ１、およびデータ部分ＤＰ２は、それらの持続時間、およびそれらの周波数範囲によって定義される。ペイロードデータ送信ブロックＰＴＢ１、およびペイロードデータ送信ブロックＰＴＢ２にも、同じことがあてはまる。さらに、データ信号ＤＳは、送信時間間隔ＴＴＩを超えて、送信、および受信される。送信時間間隔ＴＴＩの長さは、データ部分ＤＰ１、およびデータ部分ＤＰ２（あるいは、ペイロードデータ送信ブロックＰＴＢ１、およびペイロードデータ送信ブロックＰＴ２）の持続時間よりも短い。
【００８０】
図４の例の中では、送信時間間隔ＴＴＩの長さは、データ部分ＤＰ１、およびデータ部分ＤＰ２（あるいは、ペイロードデータ送信ブロックＰＴＢ１、およびペイロードデータ送信ブロックＰＴ２）の持続時間の半分である。結果として、最大の送信時間は、データ部分ＤＰ１、およびデータ部分ＤＰ２（あるいは、ペイロードデータ送信ブロックＰＴＢ１、およびペイロードデータ送信ブロックＰＴ２）の持続時間の半分と同じである。
【００８１】
発明の好ましい実施の形態では、制御データＣＤは、それぞれの送信時間間隔ＴＴＩを超えて、ペイロードデータ送信ブロックＰＴＢが受信されるようにするために、ペイロードデータ送信ブロックＰＴＢにデータ信号ＤＳのどの周波数範囲ＦＲが割り当てられるのかを指し示す周波数範囲データと、を備え、信号処理装置３は、ペイロードデータ送信ブロックＰＴＢを処理するために周波数範囲を用いるように構成されている。
【００８２】
発明の好ましい実施の形態では、制御データＣＤは、どの送信時間間隔ＴＴＩにペイロードデータ送信ブロックＰＴＢが割り当てられたのかを指し示す割り当てデータと、を備え、信号処理装置３は、ペイロードデータ送信ブロックＰＴＢを処理するために割り当てデータを用いるように構成されている。
【００８３】
発明の好ましい実施の形態では、制御データＣＤは、それぞれの送信時間間隔ＴＴＩの範囲内のいつの時点でペイロードデータ送信ブロックＰＴＢが開始したのかを指し示す開始データと、を備え、信号処理装置３は、ペイロードデータ送信ブロックＰＴＢを処理するために開始データを用いるように構成されている。
【００８４】
発明の好ましい実施の形態では、制御データＣＤは、それぞれの送信時間間隔ＴＴＩの範囲内のいつの時点でペイロードデータ送信ブロックＰＴＢが終了したのかを指し示す終了データと、を備え、信号処理装置３は、ペイロードデータ送信ブロックＰＴＢを処理するために終了データを用いるように構成されている。
【００８５】
発明の好ましい実施の形態では、データ信号ＤＳは、多数の前記ペイロードデータ送信ブロックＰＴＢと、を備え、多数のペイロードデータ送信ブロックＰＴＢは、異なる大きさの周波数領域を有するペイロードデータ送信ブロックＰＴＢと、を備え、信号処理装置３は、異なる大きさの周波数領域を有するペイロードデータ送信ブロックＰＴＢを処理するように構成されている。
【００８６】
発明の好ましい実施の形態では、データ信号ＤＳは、多数の前記ペイロードデータ送信ブロックＰＴＢと、を備え、多数のペイロードデータ送信ブロックＰＴＢは、異なる大きさの周波数領域を有するペイロードデータ送信ブロックＰＴＢと、を備え、信号処理装置３は、異なる大きさの周波数領域を有するペイロードデータ送信ブロックＰＴＢを処理するように構成されている。
【００８７】
さらなる発明の実施の態様は、無線通信システムのための送信機２を提供する。
【００８８】
送信機２は、時間領域、および周波数領域を有するデータ信号ＤＳを送信するように構成されており、データ信号ＤＳは、さらに、ペイロードデータＰＤの部分によって構成されるペイロードデータと、を備えたペイロードデータ伝送ブロックＰＴＢと、を備えた少なくとも１つのデータ部分ＤＰと、を備えている。
【００８９】
送信機２は、送信時間間隔ＴＴＩを超えて、データ信号ＤＳを送信するように構成されており、１つの送信時間間隔ＴＴＩは、データ部分ＤＰの持続時間よりも短く、そのため、データ部分ＤＰは、１つの送信時間間隔ＴＴＩを超えて送信される。
【００９０】
発明の他の実施の態様が提供する無線通信システムは、
発明に従う受信機１と、
発明に従う送信機２と、
を備える。
【００９１】
発明のさらなる実施の態様は、無線通信システムＷＣＳでデータ信号ＤＳを受信するための方法であり、
受信機１によって、時間領域、および周波数領域を有するデータ信号ＤＳが受信されるステップと、
受信機１の信号処理装置３によって、１つの送信時間間隔ＴＴＩを超えてさらに受信されていたデータ部分ＤＰが処理されるステップと、
を備え、
データ信号ＤＳは、制御データＣＤと、ペイロードデータＰＤと、を備え、データ信号ＤＳは、さらに、ペイロードデータＰＤの部分で構成されるペイロードデータパッケージと、を備えた、ペイロードデータ送信ブロックＰＴＢと、を備えた、少なくとも１つのデータ部分ＤＰと、を備え、データ信号ＤＳは、送信時間間隔ＴＴＩを超えて受信され、１つの送信時間間隔ＴＴＩの長さは、データ部分ＤＰの持続時間よりも短く、そのため、データ部分ＤＰは、１つの送信時間間隔ＴＴＩを超えてさらに受信されることを特徴とする無線通信システムＷＣＳでデータ信号ＤＳを受信するための方法である。
【００９２】
発明の別の態様は、無線通信システムＷＣＳでデータ信号ＤＳを送信するための方法であって、
送信機２によって、時間領域、および周波数領域を有するデータ信号ＤＳが送信されるステップと、
を備え、
データ信号ＤＳは、制御データＣＤと、ペイロードデータＰＤと、を備え、データ信号ＤＳは、さらに、ペイロードデータＰＤの部分で構成されるペイロードデータパッケージと、を備えた、ペイロードデータ送信ブロックＰＴＢと、を備えた、少なくとも１つのデータ部分ＤＰと、を備え、データ信号ＤＳは、送信時間間隔ＴＴＩを超えて送信され、１つの送信時間間隔ＴＴＩの長さは、データ部分ＤＰの持続時間よりも短く、そのため、データ部分ＤＰは、１つの送信時間間隔ＴＴＩを超えてさらに送信されることを特徴とする無線通信システムＷＣＳでデータ信号ＤＳを送信するための方法である。
【００９３】
発明のさらなる実施の態様は、プロセッサ（ｐｒｏｃｅｓｓｏｒ）が動いているときに、発明についての方法を実行するためのコンピュータプログラムを提供する。
【００９４】
図５には、ＬＴＥ通信で用いらてもよい、２つのアンテナ部分のための典型的なＯＦＤＭＡ‐サブフレームＳＦが示されている。
【００９５】
発明の好ましい実施の形態では、データ信号ＤＳは、複数のフレームと、を備え、それぞれのフレームは、時間領域の中にシンボルＳＢを有し、そして周波数領域の中に周波数範囲ＦＲを有する。
【００９６】
１つのシンボルＳＢ、および１つの周波数範囲ＦＲの組み合わせは、リソース要素ＲＥ
を定義する。
【００９７】
データ部分ＤＰは、ペイロードデータＰＤに割り当てられた複数のリソース要素ＲＥから成る。
【００９８】
描かれたサブフレームＳＦは、周波数領域の中のサブフレームＳＦのそれぞれ１つのスロット、および１２のサブキャリアから成り立つ２つのリソースブロックを含む。周波数領域のサブキャリアは、サブキャリア０からサブキャリア１１として示されており、そして、時間領域では、それぞれのスロットは、ＯＦＤＭシンボルＳＢ０から６を含む。リソース要素は、時間領域の中の１つのシンボルＳＢ、および、周波数領域の中の１つのサブキャリアから成る。白い箱は、ＰＤＳＣＨに割り当てられたリソース要素ＲＥを表しており、ユーザーデータとも呼ばれるペイロードデータＰＤを運んでいる。制御データＣＤ（ペイロード、あるいは、ユーザーデータではない）を運んでいる物理制御チャンネルのためのリソース要素ＲＥは、ハッチングされた箱で表されている。交差ハッチングされた箱は、通信路推定のために用いられてもよい基準信号ＲＳ１に割り当てられたリソース要素ＲＥを表している。黒い箱は、他のアンテナポートの中の基準信号ＲＳ２と一致するかもしれない現在のアンテナポートの中の用いられないリソース要素ＲＥを表している。フレームは、１ｍｓの長さの１０のサブフレームを有し、それぞれのサブフレームは、サイリックプレフィックスの長さに依存する６、あるいは、７のＯＦＤＭシンボルＳＢの２つのスロットを含む。
【００９９】
図６には、発明に従った、無線通信システムＷＣＳの送信機２、および受信機１を有するデータ信号ＤＳのさらなる典型的な構造が示されている。
【０１００】
発明の好ましい実施の形態では、データ部分ＤＰは、冗長データ送信ブロックＲＴＢのペイロードデータパケットを冗長にしたペイロードデータＰＤと、を備えた冗長データ送信ブロックＲＴＢと、を備えている。信号処理装置３は、データが喪失した場合には、冗長データ送信ブロックＲＴＢを復元するために、冗長データパケットを用いるように構成されている。
【０１０１】
図６の中のデータ信号ＤＳは、ペイロードデータ送信ブロックＰＴＢ１、および冗長データ送信ブロックＲＴＢ１から成るデータ部分ＤＰ１と、を備えている。さらに、データ信号ＤＳは、ペイロードデータ送信ブロックＰＴＢ２、および冗長データ送信ブロックＲＴＢ２から成るデータ部分ＤＰ２と、を備えている。発明によれば、送信時間間隔ＴＴＩは、データ部分ＤＰ１、およびＤＰ２の持続時間よりも短い。
【０１０２】
発明の好ましい実施の形態では、冗長データ送信ブロックＲＴＢは、ペイロードデータ送信ブロックＰＴＢのペイロードデータパケットのための絶対冗長性を提供する。図６に示すように、冗長データ送信ブロックＲＴＢ１、およびＲＴＢ２は、冗長性が最大限である場合には、同じ大きさのペイロードデータ送信ブロックＰＴＢ１、およびＰＴＢ２を有する。
【０１０３】
発明の好ましい実施の形態では、制御データＣＤは、どの送信時間間隔ＴＴＩに冗長データ送信ブロックＲＴＢが割り当てられたのかを指し示す割り当てデータと、を備え、信号処理装置３は、冗長データ送信ブロックＲＴＢを処理するために、割り当てデータを用いるように構成されている。
【０１０４】
発明の好ましい実施の形態では、制御データＣＤは、それぞれの送信時間間隔ＴＴＩの中で、どの時点で、冗長データ送信ブロックＲＴＢが開始したのかを指し示す開始データと、を備え、信号処理装置３は、冗長データ送信ブロックＲＴＢを処理するために、開始データを用いるように構成されている。
【０１０５】
発明の好ましい実施の形態によれば、制御データＣＤは、それぞれの送信時間間隔ＴＴＩの中で、どの時点で、冗長データ送信ブロックＲＴＢが終了したのかを指し示す終了データと、を備え、信号処理装置３は、冗長データ送信ブロックＲＴＢを処理するために、終了データを用いるように構成されている。
【０１０６】
図７には、発明に関する、無線通信システムＷＣＳの送信機２、および受信機１を有するデータ信号ＤＳの典型的な構造が示されている。
【０１０７】
発明の好ましい実施の形態によれば、冗長データ送信ブロックＲＴＢは、ペイロードデータ送信ブロックＰＴＢのペイロードデータパッケージのために相対冗長性を提供する。図７に示すように、部分冗長性の場合には、冗長データ送信ブロックＲＴＢ１、およびＲＴＢ１は、より小さい大きさのペイロードデータ送信ブロックＰＴＢ１、およびＰＴＢ２を有する。
【０１０８】
発明の好ましい実施の形態によれば、制御データＣＤは、冗長データパケットによって、提供された冗長度の合計を指し示す冗長データと、を備えている。
【０１０９】
発明の好ましい実施の形態によれば、制御データＣＤは、冗長データ送信ブロックＲＴＢが受信された上で、それぞれの送信時間間隔ＴＴＩのために、データ信号ＤＳのどの周波数領域ＦＲが冗長データ送信ブロックＲＴＢに割り当てられたのかを指し示す周波数範囲データと、備えており、信号処理装置３は、冗長データ送信ブロックＲＴＢを処理するために、周波数範囲データを用いるように構成されている。
【０１１０】
発明の好ましい実施の形態によれば、データ信号ＤＳは、複数の前記冗長データ送信ブロックＲＴＢと、備え、複数の冗長データ送信ブロックＲＴＢは、周波数領域で異なる大きさを有する複数の冗長データ送信ブロックＲＴＢと、を備え、信号処理装置３は、周波数領域で異なる大きさを有する複数の冗長データ送信ブロックＲＴＢを有する冗長データ送信ブロックＲＴＢを処理するように構成されている。
【０１１１】
発明の好ましい実施の形態によれば、データ信号ＤＳは、複数の前記冗長データ送信ブロックＲＴＢと、を備え、複数の冗長データ送信ブロックＲＴＢは、時間領域で異なる大きさを有する複数の冗長データ送信ブロックＲＴＢと、を備え、信号処理装置３は、時間領域で異なる大きさを有する複数の冗長データ送信ブロックＲＴＢを有する冗長データ送信ブロックＲＴＢを処理するように構成されている。
【０１１２】
図８には、先行技術に係る無線通信システムＷＣＳの送信機２、および受信機１を有するデータ信号ＤＳのさらなる典型的な構造が示されている。先行技術に係る半持続的なスケジューリング計画が示されれており、先行技術に係る半持続的なスケジューリング間隔ＳＰＩは、３つの送信時間間隔ＴＴＩと、を備えている。それぞれの半持続的なスケジューリング間隔ＳＰＩの中の１つの送信時間間隔ＴＴＩは、正確に、ユーザーに割り当てられる。周波数範囲は一定であり、そして、送信時間間隔ＴＴＩは、データ部分ＤＰ１、およびＤＰ２の長さと同じように一定である。
【０１１３】
図９には、発明に係る無線通信システムＷＣＳの送信機２、および受信機１を有するデータ信号ＤＳの典型的な構造が示されている。
【０１１４】
発明の好ましい実施の形態によると、データ部分ＤＰは、半持続的なスケジューリング計画に適合する。信号処理装置３は、半持続的なスケジューリング計画に適合するデータ部分ＤＰを処理するように構成されている。
【０１１５】
発明の好ましい実施の形態によると、制御データＣＤは、データ部分ＤＰが半持続的なスケジューリング計画に適合しているかどうかを指し示すスケジューリング計画データと、を備えており、信号処理装置３は、データ部分ＤＰを処理するために、スケジューリング計画データを用いるように構成されている。
【０１１６】
発明の好ましい実施の形態によると、データ信号ＤＳは、多くの前記データ部分ＤＰと、を備えており、多くのデータ部分ＤＰは、半持続的なスケジューリング計画に適合するデータ部分ＤＰと、を備えている。
【０１１７】
図９には、発明に係る半持続的なスケジューリング計画が示されており、発明に係る半持続的なスケジューリング間隔ＳＰＩは、６つの送信時間間隔ＴＴＩと、を備えている。それぞれの半持続的なスケジューリング間隔ＳＰＩの中の送信時間間隔ＴＴＩは、ユーザーに割り当てられている。周波数範囲は可変的であり、そして、送信時間間隔ＴＴＩの長さは、データ部分ＤＰ１、およびＤＰ２の長さ（あるいは、ペイロードデータ送信ブロックＰＴＢ１、およびＰＴＢ２の長さ）よりも短い。
【０１１８】
待ちを減少させるために、「重なった」送信時間間隔ＴＴＩが望まれる。しかしながら、そのような、「重なった」送信時間間隔ＴＴＩは、さらなる複雑さ、そして将来的には同期の複雑さをもたらす。このような機能を実現するための簡単な方法は、与えられた長さの送信時間間隔ＴＴＩを短く定めることであり、短い送信時間間隔ＴＴＩの期間内に、どのような時間、そして、信号、データ部分ＤＰの長さでも、データ部分ＤＰをいつでも送信することである。
【０１１９】
第１の実施の形態の中の信号機構は、信号の生成に反応し、データ部分ＤＰのために周波数リソース要素が追加され、データ部分ＤＰ、つまり、短い送信時間間隔ＴＴＩが与えられたデータ部分ＤＰの全範囲のために、いくつかの送信時間間隔ＴＴＩが集められる。
【０１２０】
第２の実施の形態では、柔軟に交差した送信時間間隔ＴＴＩに、データ部分ＤＰの送信
は、送信時間間隔ＴＴＩを初期設定値に設定することによって行われる。初期設定値のＨＡＲＱは、新しいデータと平行して送信してもよく、そのため、データ部分ＤＰは、時間内に重複して送信してもよいことに注意してほしい。
【０１２１】
第３の実施の形態では、前の送信時間間隔ＴＴＩに続いて、信号の発信に直接的に初期設定値のＨＡＲＱを適用する。しかし、データには、所定の保護のパーセンテージ、例えば、１０％、あるいは、２０％以上の所定の冗長だけが加えられる。例えば、ＲＲＣメッセージが用いられているセッションの間は信号の発信を止める、あるいは、例えば、リソースがＤＣＩのようなユーザーに専有されるすべての時間は、信号の発信が止めるかのいずれか１つで行うことができる。
【０１２２】
いくつかの応用では、若干の変わりやすさがパケットの大きさであるＰＴＢの上にあるかもしれず、ＲＴＢは、周波数が与えられて、時間上で送られる。例えば、ビデオの場合には、すべての画像は、同じ大きさで（あるいは、仮想上の同じ大きさで）、符号化することが可能であるが、その性能は、他よりも高いサイズのいくつかの画像を符号化することによって増加することができて、データを送信する周波数は一定であり、時間とともに、異なるサイズは、異なる時間で送られるが、半持続的なスケジューリング間隔ＳＰＩごとに送信時間間隔ＴＴＩの可変的な束に導かれる。
【０１２３】
さらなるリソース要素が必要とされる（データの大きさが送られるときに大きくなる）ために、さらなるリソース要素ＲＥを割り当てることによって周波数領域だけでリソースを増加させると、例えば、より少ないユーザーが、送信時間間隔ＴＴＩの間に、リソースを専有することもあるので、システムのためには有害である。上記に加えて、もし、時間領域の中の行為に信頼度を構築できたとしても同じある。
【０１２４】
さらなる実施の形態では、半持続的なスケジューリング計画割り当ては、いくつかのデータ部分ＤＰ（あるいは、すべて）、いくつかの１つの送信時間間隔ＴＴＩ以上のデータ部分ＤＰの長さ、によって構成することもできる。
【０１２５】
もし、いくつかのデータ部分ＤＰの全長が１つの送信時間間隔ＴＴＩを超えており、そして、それらのデータ部分ＤＰの周波数は、一定の送信時間間隔ＴＴＩの後に周期的ではなければ、１つのＴＴＩよりも長いデータ部分ＤＰのスパンニング（Ｓｐａｎｉｎｇ）は、例えば、小さなＤＣＩのような制御チャンネルが短い、あるいは、小さい信号情報の存在によって、行うことができる。
【０１２６】
半持続的なスケジューリング計画は、１０％、あるいは、２０％の例えば、負荷される冗長のような小さな冗長データを伴う初期設定値のＨＡＲＱを指し示すことができる。
【０１２７】
さらなる実施の形態では、半持続的なスケジューリング計画によって割り当てられたリソースを用いて送信されたペイロードデータ送信ブロックＰＴＢのためのＨＡＲＱは、ＤＣＩによって、指し示めされた新しい送信の開始を含むことができる。例えば、もし、２つのサービスが平行して動いていたら、それらのうちの１つは、半持続的なスケジューリング計画、および、他は、通常モードの中にあり、送信は、１つの半持続的なスケジューリング計画を用いた１つのために冗長を含むことができる第２のサービスによって、行われる。
【０１２８】
受信機、送信機、そして、記述した方法についての実施の形態が以下に説明される。
【０１２９】
実施の態様は、機器の文脈（ｃｏｎｔｅｘｔ）の中で説明されているが、これらの態様は、対応する方法の説明でも表されており、どこのブロック、あるいは、装置が方法のステップ、あるいは、方法のステップと対応するのかも明確である。類似的に、実施の態様は、一致する機器の一致するブロック、あるいは、アイテム、あるいは、特徴としても表わされている。
【０１３０】
特定の実施例の必要性に依存して、発明の実施の形態はハードウエア、そして／あるいは、ソフトウエアで実現することができる。実施例は、例えば、フロッピーディスク、ＤＶＤ，ブルーレイディスク、ＣＤ、ＲＯＭ、ＰＲＯＭ、ＥＰＲＯＭ、ＥＥＰＲＯＭ、あるいは、フラッシュメモリ、電気的に読み取り可能な制御信号が格納されており、協働（あるいは、協働することができる）、発明の装置、あるいは、システムの１つ、あるいは、それ以上、あるいは、すべての機能が実行されるようなプログラム可能なコンピューターを用いて実現される。
【０１３１】
特定の実施例の必要性に依存して、発明の実施の形態は、ハードウエア、そして／あるいは、ソフトウエアで実現することができる。実施例は、例えば、フロッピーディスク、ＤＶＤ，ブルーレイディスク、ＣＤ、ＲＯＭ、ＰＲＯＭ、ＥＰＲＯＭ、ＥＥＰＲＯＭ、あるいは、フラッシュメモリ、電気的に読み取り可能な制御信号が格納されており、協働（あるいは、協働することができる）、発明の方法は、プログラム可能なコンピューターを用いて実現される。
【０１３２】
発明に従ったいくつかの実施の形態は、１つの述べられた方法が実行されるプログラム可能なコンピュータシステムと協働することが可能な電気的に読み取り可能な制御信号を有するデータキャリアと、を備える。
【０１３３】
一般的には、本発明の実施の形態は、プログラムコードを有するコンピュータープログラム製品として実現可能であり、コンピュータープログラム製品がコンピューターで動いているときには、プログラムコードは、１つの方法を実施するために動作する。
【０１３４】
一般的に、方法は、ハードウエアと、ソフトウエアと、を備えたいくつかの機器によって有利に実行可能である。
【０１３５】
他の実施の形態は、述べられた１つの方法を実施するための機械で読み取り可能なキャリア、あるいは、一時的ではない記録メディアが格納されたコンピュータプログラムと、を備えている。
【０１３６】
言い換えれば、発明の実施の形態の方法は、コンピュータープログラムがコンピューターで動いているときには、ここに記述された１つの方法を実施するためのプログラムコードを有するコンピュータープログラムである。
【０１３７】
発明の実施の形態の方法は、データキャリア（あるいは、デジタル格納媒体、あるいは、コンピューター読み取り可能な媒体）は、ここに記述された１つの方法を実施するための記録されたコンピュータープログラムと、を備えている。
【０１３８】
さらなる発明の実施の形態の方法は、データストリーム、あるいは、信号列が表現している、ここに記述された１つの方法を実施するためのプログラムコードを有するコンピュータープログラムである。データストリーム、あるいは、信号列は、例えば、インターネットを経由する、データ通信接続を経由して送信されるように構成されていてもよい。
【０１３９】
さらなる実施の形態は、処理方法と、を備え、例えば、コンピューター、プログラム可能な論理装置、特に、ここに記述された１つの方法を実施するために構成、あるいは、適用されるハードウエアと、を備えたプロセッサと、を備えている。
【０１４０】
さらなる実施の形態は、ここに記述された１つの方法を実施するためのコンピュータープログラムがインストールされたコンピューターと、を備えている。
【０１４１】
いくつかの実施の形態では、プログラム可能な論理装置（例えば、フィールド・プログラム・ゲート・アレイ（ｆｉｅｌｄ  ｐｒｏｇｒａｍｍａｂｌｅ  ｇａｔｅ  ａｒｒａｙ））が、ここに記述された方法のいくつか、あるいは、すべてを実行するために用いられてもよい。同じ実施の形態では、ここに記述された１つの方法を実行するために、フィールド・プログラム・ゲート・アレイは、マイクロプロセッサと協力してもよい。一般的に、方法は、どのようなハードウエア機器でも有効に実行される。
【０１４２】
発明は、いくつかの実施の形態に関して説明されたのと同時に、発明の範囲内で、変更、置換、そして、等価物は減少した。それは、本発明の方法、そして、多くの構成を変更して実施する方法があることに注意すべきである。それは、したがって、本発明の真の精神、および、範囲内で減少した変更、置換、そして、等価物のすべては、次に添付されたクレームのように解釈される。
【０１４３】
（参考符号）
１      受信機
２      送信機
３      信号処理装置
ＢＳ    基地局
ＣＥ    セル
ＣＤ    制御データ
ＤＬ    ダウンリンク
ＤＰ    データ部分
ＤＳ    データ信号
ＦＲ    周波数範囲
ＰＤ    ペイロードデータ
ＰＴＢ  ペイロードデータ送信ブロック
ＲＥ    リソース要素
ＲＴＢ  冗長データ送信ブロック
ＳＢ    シンボル
ＳＦ    サブフレーム
ＳＰＩ  半持続的スケジューリング間隔
ＴＴＩ  送信時間間隔
ＵＥ    ユーザー装置
ＵＬ    アップリンク
ＷＣＳ  無線通信システム
【図１】
2020503755.tif 000003
【図２】
2020503755.tif 000004
【図３】
2020503755.tif 000005
【図４】
2020503755.tif 000006
【図５】
2020503755.tif 000007
【図６】
2020503755.tif 000008
【図７】
2020503755.tif 000009
【図８】
2020503755.tif 000010
【図９】
2020503755.tif 000011
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
無線通信システム（ＷＣＳ）のための受信機（１）であって、
前記受信機（１）は、時間領域、および周波数領域を有するデータ信号（ＤＳ）を受信するように構成されており、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えた少なくとも１つのペイロードデータ送信ブロック（ＰＴＢ）と、を備えた少なくとも１つのデータ部分（ＤＰ）と、を備え、
前記データ信号（ＤＳ）は、送信時間間隔（ＴＴＩ）を超えて受信され、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに受信され、
前記受信機（１）は、１つの前記送信時間間隔（ＴＴＩ）を超えてさらに受信された前記データ部分（ＤＰ）を処理するように構成された信号処理装置（３）と、を備えており、
１つの前記送信時間間隔（ＴＴＩ）の長さは、前記ペイロードデータ送信ブロック（ＰＴＢ）の持続時間よりも短く、そのため、前記ペイロードデータ送信ブロック（ＰＴＢ）は、１つの前記送信時間間隔（ＴＴＩ）を超えてさらに受信され、
前記信号処理装置（３）は、１つの前記送信時間間隔（ＴＴＩ）を超えてさらに受信された前記ペイロードデータ送信ブロック（ＰＴＢ）を処理するように構成されており、
前記データ信号（ＤＳ）は、複数のフレームと、を備え、
それぞれのフレームは、複数のサブフレーム（ＳＦ）を含んでおり、それぞれのサブフレーム（ＳＦ）は、前記時間領域内のシンボル（ＳＢ）、および前記周波数領域内の周波数範囲（ＦＲ）を有しており、
１つの前記シンボル（ＳＢ）と１つの前記周波数範囲（ＦＲ）の組み合わせは、リソース要素（ＲＥ）を明らかにし、
前記データ部分（ＤＰ）は、前記ペイロードデータ（ＰＤ）に割り当てられた複数の前記リソース要素（ＲＥ）から成り、
前記制御データ（ＣＤ）は、それぞれの前記送信時間間隔（ＴＴＩ）を超えて前記ペイロードデータ送信ブロック（ＰＴＢ）が受信されるようにするために、前記データ信号（ＤＳ）のどの前記周波数範囲（ＦＲ）が前記ペイロードデータ送信ブロック（ＰＴＢ）に割り当てられたのかを指し示す周波数範囲データと、を備え、
前記信号処理装置（３）は、前記ペイロードデータ送信ブロック（ＰＴＢ）を処理するために、周波数範囲データを用いるように構成されていることを特徴とする受信機（１）。
【請求項２】
前記制御データ（ＣＤ）は、どの前記送信時間間隔（ＴＴＩ）に前記ペイロードデータ送信ブロック（ＰＴＢ）が割り当てられたのかを指し示す割り当てデータと、を備え、
前記信号処理装置（３）は、前記ペイロードデータ送信ブロック（ＰＴＢ）を処理するために、割り当てデータを用いるように構成されていることを特徴とする、請求項１に記載の受信機（１）。
【請求項３】
前記制御データ（ＣＤ）は、それぞれの前記送信時間間隔（ＴＴＩ）の範囲内に、前記ペイロードデータ送信ブロック（ＰＴＢ）が開始する時点を指し示す開始データと、を備え、
前記信号処理装置（３）は、前記ペイロードデータ送信ブロック（ＰＴＢ）を処理するために、前記開始データを用いるように構成されており、そして／あるいは、
前記制御データ（ＣＤ）は、それぞれの前記送信時間間隔（ＴＴＩ）の範囲内に、前記ペイロードデータ送信ブロック（ＰＴＢ）が終了する時点を指し示す終了データと、を備え、
前記信号処理装置（３）は、前記ペイロードデータ送信ブロック（ＰＴＢ）を処理するために、前記終了データを用いるように構成されていることを特徴とする、請求項１または請求項２のうちのいずれか１つに記載の受信機（１）。
【請求項４】
前記データ部分（ＤＰ）は、前記ペイロードデータ送信ブロック（ＰＴＢ）の前記ペイロードデータパッケージを冗長にした前記ペイロードデータ（ＰＤ）と、を備えた冗長データパケットと、を備えた冗長データ送信ブロック（ＲＴＢ）と、を備え、
前記信号処理装置（３）は、データ喪失の場合には、前記ペイロードデータ送信ブロック（ＰＴＢ）を復元するために、前記冗長データパケットを用いるように構成されていることを特徴とする、請求項１ないし請求項３のうちのいずれか１つに記載の受信機（１）。
【請求項５】
前記冗長データ送信ブロック（ＲＴＢ）は、前記ペイロードデータ送信ブロック（ＰＴＢ）の前記ペイロードデータパッケージに、絶対冗長性、あるいは、相対的冗長性を供給することを特徴とする、請求項４に記載の受信機（１）。
【請求項６】
前記制御データ（ＣＤ）は、前記冗長データパケットによって供給された冗長の合計を指し示す冗長データと、を備えていることを特徴とする、請求項４または請求項５のうちのいずれか１つに記載の受信機（１）。
【請求項７】
前記制御データ（ＣＤ）は、それぞれの前記送信時間間隔（ＴＴＩ）を超えて、前記冗長データ伝送ブロック（ＲＴＢ）を受信するために、前記データ信号（ＤＳ）のどの前記周波数範囲（ＦＲ）が前記冗長データ送信ブロック（ＲＴＢ）に割り当てられたのかを指し示す周波数範囲データと、を備え、
前記信号処理装置（３）は、前記冗長データ送信ブロック（ＲＴＢ）を処理するために、前記周波数範囲データを用いるように構成されていることを特徴とする、請求項４ないし請求項６のうちのいずれか１つに記載の受信機（１）。
【請求項８】
前記制御データ（ＣＤ）は、どの前記送信時間間隔（ＴＴＩ）に前記冗長データ送信ブロック（ＲＴＢ）が割り当てられたのかを指し示す割り当てデータと、を備え、
前記信号処理装置（３）は、前記冗長データ送信ブロック（ＲＴＢ）を処理するために、前記割り当てデータを用いるように構成されていることを特徴とする、請求項４ないし請求項７のうちのいずれか１つに記載の受信機（１）。
【請求項９】
前記制御データ（ＣＤ）は、それぞれの前記送信時間間隔（ＴＴＩ）の範囲内に、前記冗長データ送信ブロック（ＲＴＢ）を開始する時点を指し示す開始データと、を備え、
前記信号処理装置（３）は、前記冗長データ送信ブロック（ＲＴＢ）を処理するために、前記開始データを用いるように構成されており、
前記制御データ（ＣＤ）は、それぞれの前記送信時間間隔（ＴＴＩ）の範囲内に、前記冗長データ送信ブロック（ＲＴＢ）を終了する時点を指し示す終了データと、を備え、
前記信号処理装置（３）は、前記冗長データ送信ブロック（ＲＴＢ）を処理するために、前記終了データを用いるように構成されていることを特徴とする、請求項４ないし請求項８のうちのいずれか１つに記載の受信機（１）。
【請求項１０】
前記データ部分（ＤＰ）は、半持続的なスケジューリング計画に適合し、
前記信号処理装置（３）は、前記半持続的なスケジューリング計画に適合した前記データ部分を処理するように構成されていることを特徴とする、請求項１ないし請求項９のうちのいずれか１つに記載の受信機（１）。
【請求項１１】
前記データ信号（ＤＳ）は、複数の前記ペイロードデータ送信ブロック（ＰＴＢ）と、を備え、
前記複数のペイロードデータ送信ブロック（ＰＴＢ）は、異なる大きさの時間領域を有するペイロードデータ送信ブロック（ＰＴＢ）と、を備え、
前記信号処理装置（３）は、異なる大きさの時間領域を有する前記ペイロードデータ送信ブロック（ＰＴＢ）を処理するように構成されていることを特徴とする、請求項１ないし請求項１０のうちのいずれか１つに記載の受信機（１）。
【請求項１２】
前記データ信号（ＤＳ）は、複数の前記冗長データ送信ブロック（ＲＴＢ）と、を備え、
前記複数の冗長データ送信ブロック（ＲＴＢ）は、異なる大きさの周波数領域を有する冗長データ送信ブロック（ＲＴＢ）と、を備え、
前記信号処理装置（３）は、異なる大きさの周波数領域を有する前記冗長データ送信ブロック（ＲＴＢ）を処理するように構成されていることを特徴とする、請求項４ないし請求項１１のうちのいずれか１つに記載の受信機（１）。
【請求項１３】
無線通信システムのための送信機（２）であって、
前記送信機（２）は、時間領域、および周波数領域を有する前記データ信号（ＤＳ）を送信するように構成されており、
前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えたペイロードデータ送信ブロック（ＰＴＢ）と、を備えた少なくとも１つのデータ部分（ＤＰ）と、を備え、
前記送信機（２）は、前記データ信号（ＤＳ）を前記送信時間間隔（ＴＴＩ）を超えて送信するように構成されており、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに送信され、
１つの前記送信時間間隔（ＴＴＩ）の長さは、前記ペイロードデータ送信ブロック（ＰＴＢ）の持続時間よりも短く、そのため、前記ペイロードデータ送信ブロック（ＰＴＢ）は、１つの前記送信時間間隔（ＴＴＩ）を超えてさらに送信され、
前記データ信号（ＤＳ）は、複数のフレームと、を備え、それぞれのフレームは、複数のサブフレーム（ＳＦ）を含んでおり、それぞれのサブフレーム（ＳＦ）は、前記時間領域内のシンボル（ＳＢ）、および前記周波数領域内の周波数範囲（ＦＲ）を有しており、
１つの前記シンボル（ＳＢ）と１つの前記周波数範囲（ＦＲ）の組み合わせは、リソース要素（ＲＥ）を明らかにし、
前記データ部分（ＤＰ）は、ペイロードデータ（ＰＤ）に割り当てられた複数のリソース要素（ＲＥ）から成り、
送信機は、それぞれの前記送信時間間隔（ＴＴＩ）を超えて、前記ペイロードデータ送信ブロック（ＰＴＢ）を送信するために、前記データ信号（ＤＳ）のどの前記周波数範囲（ＦＲ）が前記ペイロードデータ送信ブロック（ＰＴＢ）に割り当てられたのかを指し示す周波数範囲データと、を備えた制御データ（ＣＤ）と、を受信することになっていることを特徴とする、送信機（２）。
【請求項１４】
請求項１ないし請求項１２のうちのいずれか１つに記載の受信機（１）と、そして／あるいは、
請求項１３に記載の送信機（２）と、
を備えていることを特徴とする、無線通信システム。
【請求項１５】
無線通信システム（ＷＣＳ）で前記データ信号（ＤＳ）を受信する方法であって、
時間領域、および周波数領域を有する前記データ信号（ＤＳ）が受信機（１）によって受信されるステップと、
１つの前記送信時間間隔（ＴＴＩ）を超えてさらに受信された前記データ部分（ＤＰ）が、前記受信機（１）の信号処理装置（３）によって処理されるステップと、
を備え、
前記データ信号（ＤＳ）は、時間領域、および周波数領域を有し、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えたペイロードデータ送信ブロック（ＰＤＴＢ）と、を備えた少なくとも１つのデータ部分（ＤＰ）と、を備え、前記データ信号（ＤＳ）は、送信時間間隔（ＴＴＩ）を超えて受信され、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに受信され、
１つの前記送信時間間隔（ＴＴＩ）の長さは、前記ペイロードデータ送信ブロック（ＰＴＢ）の持続時間よりも短く、そのため、前記ペイロードデータ送信ブロック（ＰＴＢ）は、１つの前記送信時間間隔（ＴＴＩ）を超えてさらに受信され、
１つの前記送信時間間隔（ＴＴＩ）を超えてさらに受信された前記ペイロードデータ送信ブロック（ＰＴＢ）は、前記信号処理装置（３）によって処理され、
前記データ信号（ＤＳ）は、複数のフレームと、を備え、それぞれのフレームは、複数のサブフレーム（ＳＦ）を含んでおり、それぞれのサブフレーム（ＳＦ）は、前記時間領域内のシンボル（ＳＢ）、および前記周波数領域内の周波数範囲（ＦＲ）を有しており、
１つの前記シンボル（ＳＢ）と１つの前記周波数範囲（ＦＲ）の組み合わせは、リソース要素（ＲＥ）を明らかにし、
前記データ部分（ＤＰ）は、前記ペイロードデータ（ＰＤ）に割り当てられた複数の前記リソース要素（ＲＥ）から成り、
前記制御データ（ＣＤ）は、それぞれの前記送信時間間隔（ＴＴＩ）を超えて、前記ペイロードデータ送信ブロック（ＰＴＢ）を受信するために、前記データ信号（ＤＳ）のどの周波数範囲（ＦＲ）が前記ペイロードデータ送信ブロック（ＰＴＢ）に割り当てられたのかを指し示す周波数範囲データと、を備え、前記周波数範囲データは、前記ペイロードデータ送信ブロック（ＰＴＢ）を処理するために、前記信号処理装置（３）によって用いられることを特徴とする無線通信システム（ＷＣＳ）で前記データ信号（ＤＳ）を受信する方法。
【請求項１６】
無線通信システム（ＷＣＳ）で前記データ信号（ＤＳ）を送信する方法であって、
時間領域、および周波数領域を有する前記データ信号（ＤＳ）が送信機（２）によって送信されるステップと、
を備え、
前記データ信号（ＤＳ）は、時間領域、および周波数領域を有し、前記データ信号（ＤＳ）は、制御データ（ＣＤ）と、ペイロードデータ（ＰＤ）と、を備え、前記データ信号（ＤＳ）は、さらに、前記ペイロードデータ（ＰＤ）の部分から成るペイロードデータパッケージと、を備えたペイロードデータ送信ブロック（ＰＴＢ）と、を備えた少なくとも１つのデータ部分（ＤＰ）と、を備え、前記データ信号（ＤＳ）は、送信時間間隔（ＴＴＩ）を超えてさらに送信され、１つの前記送信時間間隔（ＴＴＩ）の長さは、前記データ部分（ＤＰ）の持続時間よりも短く、そのため、前記データ部分（ＤＰ）は、１つの前記送信時間間隔（ＴＴＩ）を超えてさらに送信され、
１つの前記送信時間間隔（ＴＴＩ）の長さは、前記ペイロードデータ送信ブロック（ＰＴＢ）の持続時間よりも短く、そのため、前記ペイロードデータ送信ブロック（ＰＴＢ）は、１つの前記送信時間間隔（ＴＴＩ）を超えてさらに送信され、
前記データ信号（ＤＳ）は、複数のフレームと、を備え、それぞれのフレームは、複数のサブフレーム（ＳＦ）を含んでおり、それぞれのサブフレーム（ＳＦ）は、前記時間領域内のシンボル（ＳＢ）、および前記周波数領域内の周波数範囲（ＦＲ）を有しており、
１つの前記シンボル（ＳＢ）と１つの前記周波数範囲（ＦＲ）の組み合わせは、リソース要素（ＲＥ）を明らかにし、
前記データ部分（ＤＰ）は、前記ペイロードデータ（ＰＤ）に割り当てられた複数の前記リソース要素（ＲＥ）から成り、
前記送信機は、それぞれの前記送信時間間隔（ＴＴＩ）を超えて、前記ペイロードデータ送信ブロック（ＰＴＢ）を送信するために、前記データ信号（ＤＳ）のどの前記周波数範囲（ＦＲ）が前記ペイロードデータ送信ブロック（ＰＴＢ）に割り当てられたのかを指し示す周波数範囲データと、を備えた制御データ（ＣＤ）と、を送信することを特徴とする無線通信システム（ＷＣＳ）で前記データ信号（ＤＳ）を送信する方法。
【請求項１７】
プロセッサが動いているときには、請求項１５、または請求項１６のうちのいずれか１つに記載の方法を実行するためのコンピュータプログラム。
【国際調査報告】
2020503755.tif 000012
2020503755.tif 000013
2020503755.tif 000014
2020503755.tif 000015
2020503755.tif 000016